【事件の表示】
　特願２０００−　７８２２０「ページ情報表示方法及び装置並びにページ情報表示用プログラムを記憶した記憶媒体」拒絶査定不服審判事件〔平成１３年　９月２８日出願公開、特開２００１−２６５４８１〕について、次のとおり審決する。
【結　論】
　本件審判の請求は、成り立たない。
【理　由】
１．手続の経緯・本願発明
　本願は平成１２年３月２１日の出願であって平成１７年８月１９日付けで拒絶査定がなされ、これに対して平成１７年９月２２日に拒絶査定に対する審判が請求されたものである。
　そしてその請求項１に係る発明は平成１６年５月１１日付け手続補正書により補正された明細書及び図面の記載からみて、特許請求の範囲の請求項１に記載された事項により特定される次のとおりのもの（以下「本願発明」という。）である。
「予め定められた大きさのページを単位として複数のページ情報を有する電子情報を記憶した記憶部と、この記憶部に格納された電子情報を前記ページを単位として表示する表示部と、この表示部と略同一領域に設けられ前記ページ情報の閲覧に関する操作が入力される操作部とを備えた情報閲覧装置を使用して電子情報を表示するページ情報表示方法であって、
　前記記憶部から読み出した現在表示対象となる現ページ上で予め定められたページ掴み操作が行われたときにページ掴み操作検出信号を出力するページ掴み操作検出工程と、このページ掴み操作検出工程にてページ掴み操作の検出が開始された場合には前記ページ掴み操作の操作量に応じた全掴みページ数を前記表示部に表示させる掴みページ数表示工程と、前記ページ掴み操作検出工程にてページ掴み操作検出信号が出力された場合には現ページに対して前記掴み操作量を加算又は減算したページ番号のページを次に表示するページである次表示ページに設定する次表示ページ設定工程と、この次表示ページ設定工程にて設定された次表示ページを前記現ページに変えて前記表示部に表示させるページ捲り処理工程と、を備えると共に、
　前記ページ掴み操作検出工程が、前記操作部の略同一箇所に加えられる圧力の大きさに応じて前記掴みページ数を算出する圧力別掴みページ数算出工程を備えた、ことを特徴とするページ情報表示方法。」
　
２．引用刊行物
　これに対して原査定の拒絶の理由に引用された、本願の出願日前に頒布された刊行物「特開平８−７６９２６号公報」（以下、「引用刊行物１」という。）には図面とともに以下の記載がある。
「【請求項１】  画像情報を所定の画面数ずつ表示する表示手段と、その表示手段の画面上に配置され、指などのタッチ手段によるタッチ操作に応じた信号を出力するタッチパネルとを備えた画像表示装置であって、
前記タッチ手段が前記タッチパネルの表面上を移動されると、その移動方向に基いて、前記表示手段に表示されている画面を切換える表示制御手段を備えたことを特徴とする画像表示装置。
【請求項２】  前記表示手段は画像情報を一画面数ずつ表示し、また、前記表示制御手段は、前記タッチ手段によるタッチパネル表面上の移動量と移動方向に基いて、表示手段上の画面を表示されている画面の前ページの画像情報や次ページの画像情報に変更することができることを特徴とする請求項１に記載の画像表示装置。
【請求項３】  前記タッチパネルの表面をタッチするタッチ手段の数に応じて、前記表示手段に表示されている画面のめくるページ数を変更することができる表示制御手段を更に備えたことを特徴とする請求項１あるいは請求項２に記載の画像表示装置。
【０００１】
【産業上の利用分野】本発明は、複数枚の画面を順次表示する装置に係り、特に、その画面をめくり技術に関するものである。」（第２頁左欄）
　
「【００１２】
【実施例】以下、本発明を具体化した一実施例を図面を参照して説明する。図１は本実施例の画像表示装置１０の外観斜視図である。
【００１３】画像表示装置１０は、本体１２の上面の手前に設けられ、カーソル移動キー１３や複数の機能キー１４などからなる入力キー群１６と、本体１２の上面に設けられ、画面表示できる一体型表示入力装置である液晶表示ディスプレイ装置１８と、データ処理装置２０（図２参照）とから構成されている。
【００１４】液晶表示ディスプレイ１８装置は、図２に示すように、平面ディスプレイ、例えば液晶ディスプレイ２２の表示面に座標入力用の透明なタッチパネル２４を重ねて一体化したものであり、同一画面上で画面表示と座標入力とが可能な構成となっている。
【００１５】更に、図２に示すように、データ処理装置２０は、装置全体を制御するＣＰＵ２６と、そのＣＰＵ２６の制御処理などの必要なプログラムを格納したＲＯＭ２８と、フロッピーディスクドライブ装置３８により読み込まれたデータやタッチパネル２４からの座標データなどを記憶するＲＡＭ３０と、液晶ディスプレイ２２への表示のための表示イメージを格納する表示メモリ３２と、液晶ディスプレイ２２の表示制御部３４と、タッチパネル２４の制御をおこなって座標入力をおこなうタッチパネル制御部３６と、外部記憶装置であるデータを記憶するフロッピーディスク（ＦＤ）に対してデータを読み書きするフロッピーディスクドライブ装置（ＦＤＤ）３８と、入力キー群１４の制御を行う入力キー制御部４０とから構成されている。
【００１６】タッチパネル２４は、例えば抵抗値検出方式を採用しており、図２に示すように、ＸＹ方向に抵抗体がマトリックス状に一定間隔で配置されている。そして、タッチパネル２４は、タッチ手段としての自分の指４２を所定の押圧力でタッチパネル２４上のある位置をタッチすると、そのタッチした位置に該当する抵抗体の交差点（ＸｎとＹｎ）がスキャンニングされることにより、タッチ位置が見いだされる。
【００１７】次に、このように構成された画像表示装置１０の動作について図３，図４を参照して説明する。尚、フロッピーディスク（ＦＤ）に出版ソフトとしての小説が格納されており、それを読み込む場合について説明する。
【００１８】まず、出版ソフト（小説）が格納されたフロッピーディスクをフロッピーディスクドライブ装置（ＦＤＤ）３８に挿入し、入力キー群１６中のデータ読み込みキーを操作すると、ＲＯＭ２８の制御プログラムに基いて、フロッピーディスクドライブ装置３８がフロッピーディスクからデータを読み込み、ＲＡＭ３０に記憶する。次いで、ＲＡＭ３０に記憶されたデータを１ページ単位で表示イメージに変換して表示メモリ３２に送り、読み込まれた文章が一画面（ページ）ごとに液晶ディスプレイ２２に表示される。
【００１９】そして、その表示された文章を自分の好みの速さで１ページ分の文章を読み終えたら、指４２を所定の押圧力でタッチパネル２４にタッチさせ、図３に示すように、ほぼ水平に右から左（図３の矢印方向）に移動させると、ＲＯＭ２８の制御プログラムに基いて、ＲＡＭ３０に記憶された次ページのデータを表示イメージに変換して表示メモリ３２に送り、液晶ディスプレイ２２に次ページが表示される（以降、めくるともいう）。一方、指４２をタッチパネル２４にタッチさせ、左から右（図３の反矢印方向）に移動させると、液晶ディスプレイ２２に前ページが表示される。
【００２０】このとき、タッチパネル２４においては、指４２が所定の押圧力でタッチパネル２４上面をタッチすると、ＣＰＵ２６は、スキャンニングにより、そのタッチ位置に該当する抵抗体の抵抗値の変化に基づき、Ｙ座標（Ｙｓ）を検出し、それをＲＡＭ３０に格納する（Ｓ１）。この場合、指４２の大きさがあるため、図３に示すようにＹ１１とＹ１２の複数のＹ座標をタッチしている場合には、大きい値のＹ座標であるＹ１２をＲＡＭ３０に格納する。そして、前述のように、指４２は矢印方向に順次移動しているので、次のスキャンニング時において、そのとき指４２がタッチしているＹ座標（Ｙｎ）を検出し、それをＲＡＭ３０に格納する（Ｓ２）。
【００２１】次いで、ＲＡＭ３０に格納されているＹｓの値とＹｎの値とに基いて、指４２が左方向に移動しているか、あるいは右方向に移動しているかのを判断する（Ｓ３）。このとき、指４２の移動量が少ない場合には、操作者がページをめくりたいか否かの意志が明確でないことが多いので、予め所定の移動量Ｋを設定しておき、Ｙｓの値とＹｎの値との差が移動量Ｋを越えた場合に、次ページもしくは前ページをめくると取り決める。
【００２２】そして、指４２が左方向（矢印方向）に移動している場合は（Ｓ３：ＹＥＳ）、Ｙｓの値とＹｎの値との差が所定の移動量Ｋを越えているか否かを判断し（Ｓ４）、その差が移動量Ｋ以下であれば（Ｓ４：ＮＯ）、前記Ｓ２に戻り、同様の処理を繰り返し実行する。一方、その差が移動量Ｋを越えていたならば（Ｓ４：ＹＥＳ）、次ページをめくる、すなわち液晶ディスプレイ２２に次ページを表示する（Ｓ５）。
【００２３】また、指４２が左方向に移動していない場合は（Ｓ３：ＮＯ）、ＲＡＭ３０に格納されているＹｓとＹｎとに基いて、指４２が右方向（反矢印方向）に移動しているか否かを判断する（Ｓ６）。そして、右方向に移動している場合（Ｓ６：ＹＥＳ）、ＹｓとＹｎとの差が所定の移動量Ｋを越えているか否かを判断し（Ｓ７）、所定の移動量Ｋを越えていたならば（Ｓ７：ＹＥＳ）、前ページをめくる、すなわち液晶ディスプレイ２２に前ページを表示する（Ｓ８）。移動量Ｋを越えていなければ（Ｓ７：ＮＯ）、先述したようにＳ２に戻り、先の手順を繰り返し行う。また、指４２が右方向にも移動していない場合、つまりＹｓの値とＹｎとの値が等しい場合には（Ｓ６：ＮＯ）、まだ、操作者がページをめくる意志がないと判断し、前記Ｓ２に戻る。このように、通常の本を読むときと同じような指４２の動作を行えば、フロッピーディスクに格納された出版ソフト（小説）を読むことができる。
【００２４】なお、前記実施例においては、Ｙ座標方向にほぼ平行に指４２を移動させた場合について説明したが、例えば、指４２を右上方に移動させた場合でも、実際の移動量ではなく、Ｙ座標方向の移動量（ＹｓとＹｎとの差）が所定の移動量Ｋを越えたか否かで、ページめくりの実行をするようにすればよい。すなわち、指４２の移動方向は、移動量の判定の関係から、好適には水平方向が望ましいが、斜め方向でもよい。
【００２５】また、Ｘ座標方向における上方向（Ｘ1方向）または下方向（Ｘn方向）の移動量（Ｘｓの値とＸｎの値との差）が所定の移動量Ｋを越えたか否かに基いて、上方向の場合は次ページをめくり、また下方向の場合は前ページをめくるようにしてもよい。
【００２６】更に、タッチパネル２４の上面をタッチする指４２の本数に基いて、ページめくりするページ数を変更するようにしてもよい。例えば、２本の指４２をタッチパネル２４にタッチさせ、図５に示すように、右から左へ所定量Ｋ以上移動させたときに、表示されているページの次々ページをめくる。同様に、２本の指４２を左から右へ所定量Ｋ以上移動させると、表示されているページの前々ページが表示される。そして、３本の指４２でタッチ面を移動させると、次々々ページや前々々ページをめくる。」（第３頁左欄〜第４頁左欄）
　
　これら引用刊行物１の記載から、引用刊行物１には以下の発明（以下、「引用発明」という。）が記載されているものと認められる。
「出版ソフト（小説）のデータが格納されたフロッピーディスクと、平面ディスプレイと、平面ディスプレイの表示面に重ねて一体化されたタッチパネルを有する画面表示装置において、
　平面ディスプレイにはフロッピーディスクのデータが１ページ単位で表示され、
　タッチパネルの上面を指でタッチして指を移動させると、タッチした指の本数だけページ数が加算あるいは減算されたページめくりがされて該当のページが表示される、ページめくり方法。」
　
　原査定において周知文献として引用された、本願の出願日前に頒布された刊行物「特開平７−８４７２１号公報」（以下、「周知刊行物１」という。）には図面とともに以下の記載がある。
「【００１５】
【作用】本発明は、ディスプレイ画面上において所定量を１ページとし、このページ単位で提示画面を切り替える手法として、ページめくりのためのストローク量，圧力またはスライド量を測定する入力部を備えており、利用者によってこの入力部のページめくり量設定手段が操作されると、ストローク量，圧力またはスライド量を変換テーブルを参照することによって変換した数値を出力し、アプリケーション・プログラムによってこの数値をめくれるページ数に対応させ、これと本来のマウスとしての左右のオン・オフのスイッチ情報とを合わせて左右のページめくりを実現する。従来の技術とは、これまで１ページと数ページずつのページめくりの組み合わせでページ切り替えを行っていたのに対して、入力部の押し込み量を調節することによって、紙ベースの書籍・雑誌と同様に柔軟なページめくりが可能となる点が異なり、さらに、画面上に操作用のパネルに類するものを設ける必要はないため、画面を見ることなしに手元で操作することが可能となる点が異なる。」（第３頁右欄）
　
　本願の出願日前に頒布された刊行物「特開平５−９４４３８号公報」（以下、「周知刊行物２」という。）には図面とともに以下の記載がある。
「【００１７】次に、第３実施例の動作について説明する。図９は、その動作を示すフローチャートである。先ず、ステップＳ１で文書ファイル名をキーボード等から入力する。これにより、該当する文書データの１ページ目をファイルから読出し（ステップＳ２）、その１ページ目の全体を表示装置１２に表示させる（ステップＳ３）。その後、ボタン１５ａへの押圧力に対応して更新するページ間隔値を決定する（ステップＳ４）。図１１は、押圧力と更新するページ間隔値との関係を示す説明図である。このように、最大圧力をｎとすると、Ｐｌ（ｎ／１０）はページ更新か否かを判定する値であり、ｎ／１０〜ｎ／２は、更新するページ間隔値＝１、ｎ／２〜３ｎ／４は「２」、３ｎ／４〜７ｎ／８は「３」、７ｎ／８〜１５ｎ／１６は「４」というように予め定められている。ボタン１５ａへの押圧力によって更新するページ間隔値が決定されると、表示装置１２に更新するページ間隔値を表示する（ステップＳ５）。
【００１８】図１２に、この状態を示す。即ち、１ページ目が表示されると共に、入力デバイス１５のポインタが示され、その状態でボタン１５ａが押圧されると、その押圧力に応じてポインタの位置に更新するページ間隔値が表示される。そして、入力デバイス１５の移動待ちを行い（ステップＳ６）、入力デバイス１５が移動すると、次に表示するページのデータの読出しを行い（ステップＳ７）、新たなページを表示する（ステップＳ８）。そして、入力デバイス１５の移動に伴って（ステップＳ９）新たなページの表示領域は次第に広がる。また、この新たなページの表示領域は図１２の斜線の部分であり、この動作は上記第１、２実施例と同様である。その後、ボタン１５ａへの押圧力が無くなると（ステップＳ１０）、再び更新するページ間隔値の設定処理（ステップＳ４）に戻る。また、ボタン１５ａへの押圧力がある状態では、ステップＳ９における入力デバイス１５の移動監視を行う。従って、この第３実施例においても、ステップＳ４〜ステップＳ１０を繰り返すことにより、ページをめくりながら文書を検索することができる。」（第４頁右欄〜第５頁左欄）
　なお、上記段落【００１７】の冒頭には、「次に、第３実施例の動作について説明する。図９は、その動作を示すフローチャートである。」と記載されているが、各図面中に明記されているように、図９には「第３実施例の入力デバイス」が記載されており、一方、図１０には、「第３実施例の動作フローチャート」が記載されているから、上記段落【００１７】の「図９」との記載は「図１０」の誤記と認められる。
　
　本願の出願日前に頒布された刊行物「特開平３−２３８５１９号公報」（以下、「周知刊行物３」という。）には図面とともに以下の記載がある。
「〔産業上の利用分野〕
　本発明はタッチ入力パネル、とくに、弾性表面波を用いる音響方式のタッチ入力パネルの構造の改良に関する。
　・・・（一部省略）・・・
　しかし、この方式の場合タッチ時の接触圧力をも検出できるという他の方式にはない特徴があり、たとえば、接触圧力によってページ送りの速さを変えるといった、いわば、３次元的な応用が比較的安価にできるといった可能性があり、今後は動作信頼性の改善などが強く求められている。」（第２頁左上欄第６行〜右上欄第９行）
　
「〔従来の技術〕
　第２図は従来の音響方式のタッチ入力パネルの例を示す図で、同図（イ）は斜視図、同図（ロ）はX−X’断面図である。
　図中、４は弾性表面波を伝播する透明基板、たとえば、長方形のガラス板である。５はＸ列送信素子アレイ、６はＸ列受信素子アレイで前記透明基板４の左右の周縁部に対向し対をなして配置されている。
・・・（一部省略）・・・
　なお、同図（ロ）に示した破線の２０は平面ディスプレイパネルで、たとえば、ＥＬディスプレイパネル（エレクトロルミネッセンスパネル）、ＬＣＤパネル（液晶ディスプレイパネル）などであるが、本発明には直接関係しないので詳細説明は省略する。」（第２頁右上欄第１１行〜右下欄第６行）
　
「〔発明の効果〕
　・・・（一部省略）・・・したがって、本発明によりタッチ入力装置の動作安定性、信頼性および機能の向上に寄与するところが極めて大きい。」（台４頁右上欄下から第４行〜左下欄第８行）
　
３．対比
　本願発明と引用発明を対比すると、
　引用発明の「データ」、「フロッピーディスク」、「平面ディスプレイ」、及び「画面表示装置」は、それぞれ、本願発明の「電子情報」、「記憶部」、「表示部」、及び「情報閲覧装置」に相当する。
　また、引用発明の出版ソフト（小説）の電子情報（データ）が格納された記憶部（フロッピーディスク）の電子情報は、１ページ単位で表示部（平面ディスプレイ）に表示されてページめくりされており、ページの大きさが予め定められていることは当然のことであるから、引用発明の記憶部は、本願発明と同様に、予め定められた大きさのページを単位として複数のページ情報を有する電子情報を記憶しているということができる。
　また、引用発明の「タッチパネル」は、表示部（平面ディスプレイ）の表示面に重ねて一体化され、タッチパネルの上面を指でタッチして指を移動させると、タッチした指の本数だけページ数がページをめくりされて該当のページが表示されるから、引用発明の「タッチパネル」は、本願発明の、表示部と略同一領域に設けられページ情報の閲覧に関する操作が入力される「操作部」に相当し、引用発明のページめくり方法は、本願発明の「ページ情報表示方法」に相当する。
　また、引用発明において、操作部（タッチパネル）の上面を指でタッチして指を移動させると、タッチした指の本数だけページ数が加算あるいは減算されたページめくりがされて該当のページが表示されるから、引用発明には明示の記載はないが、本願発明と同様に「現ページに対して加算又は減算したページ番号のページを次に表示するページである次表示ページに設定する次表示ページ設定工程と、この次表示ページ設定工程にて設定された次表示ページを前記現ページに変えて前記表示部に表示させるページ捲り処理工程」を有しているということができ、また、引用発明において所定本数の指で操作部にタッチして指を移動させること、即ち、操作部上での操作量により全ページめくり量が決定されるから、引用発明のこの操作は、本願発明の、現ページ上でなされる、予め定められた「ページ掴み操作」に相当し、ページ掴み操作が行われたときに全ページめくり量（指の本数）が算出されて出力されることは当然のことであるから、引用発明も本願の「ページ掴み操作検出信号を出力するページ掴み操作検出工程」、「掴みページ数算出工程」を有しているということができる。
　
　したがって、両者は
「予め定められた大きさのページを単位として複数のページ情報を有する電子情報を記憶した記憶部と、この記憶部に格納された電子情報を前記ページを単位として表示する表示部と、この表示部と略同一領域に設けられ前記ページ情報の閲覧に関する操作が入力される操作部とを備えた情報閲覧装置を使用して電子情報を表示するページ情報表示方法であって、
　前記記憶部から読み出した現在表示対象となる現ページ上で予め定められたページ掴み操作が行われたときにページ掴み操作検出信号を出力するページ掴み操作検出工程と、前記ページ掴み操作検出工程にてページ掴み操作検出信号が出力された場合には現ページに対して前記掴み操作量を加算又は減算したページ番号のページを次に表示するページである次表示ページに設定する次表示ページ設定工程と、この次表示ページ設定工程にて設定された次表示ページを前記現ページに変えて前記表示部に表示させるページ捲り処理工程と、を備えると共に、
　前記ページ掴み操作検出工程が、前記操作部に加えられる操作量に応じて前記掴みページ数を算出する掴みページ数算出工程を備えた、ページ情報表示方法。」の点で一致し、以下の点で相違する。
　
相違点１
　本願発明は、ページ掴み操作検出工程にてページ掴み操作の検出が開始された場合には前記ページ掴み操作の操作量に応じた全掴みページ数を前記表示部に表示させる掴みページ数表示工程を有しているのに対して、引用発明は、ページ掴み操作検出工程を有しており、ページ掴み操作の操作量（指の数）に応じて全掴みページ数が決定されるが、掴みページ数表示工程を有していない点。
　
相違点２
　本願発明のページ数算出工程は、操作部の略同一箇所に加えられる圧力の大きさに応じて前記掴みページ数を算出する圧力別掴みページ数算出工程であるのに対して、引用発明のページ数算出工程は操作部に加えられる操作量（操作部上で移動される指の本数）に応じて掴みページ数を算出している点。
　
４．当審の判断
　以下、上記相違点について検討する。
　
相違点１について
　一般に情報処理装置等において、入力操作が行われた場合に入力操作に関する表示を行うことは周知刊行物２にも記載されているように周知であって格別のことではないから、引用発明のページ掴み操作検出工程においてページ掴み操作の検出が開始された場合に、ページ掴み操作の操作量に応じた全掴みページ数を表示部に表示させるようにして本願発明のように構成することは当業者が容易になし得ることである。
　
相違点２について
　一般に情報を表示する装置において、所望の操作を行うに際して、ユーザの指等により略同一箇所に入力される圧力の大きさに応じて操作量を算出して所望の操作を行うことは、上記周知刊行物１〜周知刊行物３に記載されているように周知であって、引用発明の掴みページ数算出工程を操作部の略同一箇所に加えられる圧力の大きさに応じて前記掴みページ数を算出する圧力別掴みページ数算出工程として本願発明のように構成することは当業者が出技術に基づいて容易になし得ることである。
　
　そして、本願発明のように構成したことによる効果も引用発明及び周知技術から予想できる程度のものであって、格別のものではない。
　
５．むすび
　以上のとおり、本願発明（請求項１に係る発明）は、引用発明及び周知技術に基づいて当業者が容易に発明をすることができたものであるので、特許法第２９条第２項の規定により特許を受けることができない。
　したがって、本願は、その余の請求項について論及するまでもなく、拒絶すべきものである。
　
　よって、結論のとおり審決する。